(57)【要約】      （修正有）【課題】海釣りの際に、撮影用電子機器を取付け、岩場等を撮影するのに適した防水ボックスを提供する。【解決手段】全面においては透過性を保つため透明板であり、内部面は、背面、上下左右面、前面の一部は衝撃を吸収する素材のものや、撮影機材がズレ動かないようにするための素材であり、外部面は、上部に凹凸ナット等の凹凸物の設置、側面にはベルト通し穴の設置をする。前面蓋と後面受け側の開閉繋ぎ部分は蝶番を設け、前面蓋と後面受け側の接着部分には、水漏れを防止するために密着性を保つための素材として前面蓋はシリコン、後面受け側はゴムを設ける。【選択図】図１
0003181132.tif 000002
【実用新案登録請求の範囲】
【請求項１】
撮影用電子機器を防水ボックス器具に取り込み水中撮影を可能にする器具等
【請求項２】
防水ボックス器具は透明板（後面受け側・上下左右面は透明でなくても可）となっており、撮影用電子機器に属するレンズ部分を防水ボックス器具の前面部分に設置した際、レンズ部分が機器のどの位置に属していても防水ボックス器具の前面部分は透明であるため、撮影を可能とする。
防水ボックス器具の内部は、背面、上下左右面、場合によっては前面の一部は撮影用電子機器の安全が保てれるよう衝撃吸収材等を使用し、撮影用電子機器がズレ動かないように滑り止め防止材等を使用している。
防水ボックス器具の後面受け側と前面フタ部分は蝶番・樹脂等により開閉可能とし、閉時に後面受け側と前面フタ部分が接着する部分については、後面受け側はゴム等を使用し、前面フタ部分はシリコン等を使用することにより、前面フタ部分のシリコン等の部分が後面受け側のゴム等の部分を押し下げる等を実施、またその他の手段により密着性を向上させるで水漏れを防止する。
外面は防水ボックス器具が開かないように開封防止止め具として後面受け側と前面フタ部分の密着を固定する金具・樹脂等を使用し、更に二重の安全を保つために安全ベルトを装着するための安全ベルト通しを取り付ける。
ジョイント金具・樹脂等と防水ボックス器具には、それぞれに凹凸ナット等の凹凸物が取り付けられており、ジョイント金具・樹脂等と防水ボックス器具を繋ぎ合わせる際、それぞれの凹凸部分の噛み合わせ等を行い、噛み合わせ等の部分をボルト等やナット等の締め付け具等を使用し固定することで、水面下を撮影する際の角度調整を可能とし、併せて角度の緩み、ズレ防止を可能とし、安定した撮影を行う。（ジョイント金具・樹脂等下部の凹凸ナット等と防水ボックス器具の凹凸ナット等の取り付け個数は、1箇所の場合、2箇所の場合、どちらでも可）
【請求項３】
防水ボックス器具を繋ぐジョイント金具・樹脂等
ジョイント金具・樹脂等と防水ボックス器具には、それぞれに凹凸ナット等の凹凸物が取り付けられており、ジョイント金具・樹脂等と防水ボックス器具を繋ぎ合わせる際、それぞれの凹凸部分の噛み合わせ等を行い、噛み合わせ等の部分をボルト等やナット等の締め付け具を使用し固定することで、水面下を撮影する際の角度調整を可能とし、併せて角度の緩み、ズレ防止を可能とし、安定した撮影を行う。（請求項2にて記載済）
ジョイント金具・樹脂等の上部方向には突出した部分があるが安全ストッパー機能を有する。
【請求項４】
安全ベルトを防水ボックス器具に締め付け取り付けることにより、防水ボックス器具を水中に投入した際に後面受け側と前面フタ部分の開封を防ぐ安全機能を有する。
また安全ベルトにはジョイント金具・樹脂等方向へ伸びるベルトも備え付けられており、その先端には落下防止リングが取り付けられている。
落下防止リングは磯釣り用タモの柄に通すが、これは防水ボックスを水中への投入時、何らかの原因で外れてしまった際、リングがジョイント金具・樹脂等の安全ストッパー部分で止まることにより防水ボックスが流されてしまうことを防ぐ機能を有する。
【考案の詳細な説明】
【考案の概要】
【考案が解決しようとする課題】
【０００１】
◆海釣りにおいて、岩場等にどのような餌が存在しているのか
◆海釣りにおいて、どのような潮の流れになっているのか
◆海釣りにおいて、撒き餌がどのように流れるのか
◆どのような魚が存在しているのか
◆上記の状況を仲間と瞬時に如何に情報共有するか
【課題を解決するための手段】
【０００２】
◆安全ベルトの落下防止リングを磯釣りタモの柄に通す
◆磯釣りタモ柄の先端ネジ凹により、はめ込みが出来るジョイント金具・樹脂等（片側先端は凸ネジ、もう片方は凹凸ナット等）の凸側先端を取り付け、もう片方の先端は凹凸ナット等となっているので、防水ボックス器具側の凹凸ナット等部分を角度調整を図りながら噛み合わせ、ジョイント金具・樹脂等と防水ボックスの凹凸ナット等に横串にボルト等を挿入しナット等で固定する。
◆ジョイント金具・樹脂等の取り付けが終了したら、落下防止リングがジョイント金具・樹脂等の安全ストッパーから抜け落ちないか確認する。
◆その防水ボックス器具の中に撮影用電子機器を取り付け水面下の撮影を行う
◆岩場、防波堤等の側面に存在する餌を確認し、同種の餌をつけれる
◆潮の流れ、撒き餌の動きを確認出来、水面下の状況に合わせた釣りスタイルを実施
◆存在する魚の種類と居場所によって、フィッシングポイントの選択、針の大きさ、餌の取り換えが可能となった
◆撮影用電子機器が携帯電話であるならメール機能を活用し、撮影した映像を仲間に送信し、海面下の状況について瞬時に共有化を図ることが可能となった
【図面の簡単な説明】
【０００３】
【図１】撮影用電子機器を防水ボックス器具に取り込み水中撮影を可能にする器具等の全景図。磯釣り用タモの柄に安全ベルトから出ている落下防止リングを通した後に、磯釣り用タモの柄は凹ネジとなっているのでジョイント金具・樹脂等上部の凸ネジと繋ぐ。繋いだ後は、落下防止リングがジョイント金具・樹脂等の安全ストッパーで抜け落ちないか確認する。ジョイント金具・樹脂等下部は、凹凸ナット等の凹凸物が取り付けられており凹凸部分は内向きに取り付けられているので、防水ボックス器具上部の凹凸部分が外向きに取り付けられている凹凸ナット等と凹凸が噛み合うように繋ぎ合わせる。この際、水中撮影が行いやすいように凹凸の噛み合わせ部分の角度を調整し、防水ボックス器具の傾きを考慮した上で、ジョイント金具・樹脂等と防水ボックス器具の繋ぎ部分に横串のボルト等を挿入しナット等で固定する（ジョイント金具・樹脂等下部の凹凸ナット等と防水ボックス器具の凹凸ナット等の取り付け個数は、1箇所の場合、2箇所の場合、どちらでも可）。撮影用電子機器を防水ボックス器具の中に入れ、防水ボックス器具開封防止止め具でロックし、更に安全ベルトで防水ボックス器具を締め付け開封防止の対策を図る。
【図２】ジョイント金具・樹脂等と防水ボックス器具の接着（繋ぎ）部分。ジョイント金具・樹脂等下部は、凹凸ナット等の凹凸物が取り付けられており凹凸部分は内向きに取り付けられているので、防水ボックス上部の凹凸部分が外向きに取り付けられている凹凸ナット等の凹凸物と凹凸が噛み合うように繋ぎわせる。この際、水中撮影が行いやすいように凹凸の噛み合わせ部分の角度を調整し、防水ボックス器具の傾きを考慮した上で、ジョイント金具・樹脂等と防水ボックス器具の繋ぎ部分に横串のボルト等を挿入しナット等で固定する
【図３】ジョイント金具・樹脂等と防水ボックス器具を接着（繋いだ）全景図。
【図４】防水ボックス器具の全景図。防水ボックス器具は透明板（後面受け側・上下左右面は透明でなくても可）となっており、撮影用電子機器に属するレンズ部分を防水ボックス器具の前面部分に設置した際、レンズ部分が機器のどの位置に属していても防水ボックス器具の前面部分は透明であるため、撮影を可能とする。防水ボックス器具の内部は、背面、上下左右面、場合によっては前面の一部は撮影用電子機器の安全が保てるよう衝撃吸収材等を使用し、撮影用電子機器がズレ動かないように滑り止め防止材等を使用している。防水ボックスの後面受け側と前面フタ部分は蝶番・樹脂等により開閉可能とし、閉時に後面受け側と前面フタ部分が接着する部分については、後面受け側はゴム等を使用し、前面フタ部分はシリコン等を使用することにより、前面フタ部分のシリコン等の部分が後面受け側のゴム等の部分を押し下げる等を実施、またその他の手段により密着性を向上させることにより水漏れを防止する。外面は防水ボックス器具が開かないように開封防止止め具として後面受け側と前面フタ部分の密着を固定する金具・樹脂等を使用し、更に二重の安全を保つために安全ベルトを装着するための安全ベルト通しを取り付ける。
【図５】安全ベルト全景図。防水ボックス器具の前面フタと後面受け側が開封しないよう２本の安全ベルトで締め付けることによって開封防止を図る（1本の安全ベルトでも可）。縦に伸びるベルトについては、先端に落下防止リングが取り付けられており、落下防止リングを磯釣り用タモの柄に通す。これは水中撮影時、防水ボックス器具が何らかの原因でジョイント金具・樹脂等から外れてしまった場合、ジョイント金具・樹脂等の安全ストッパーで落下防止リングが止まることにより流出・紛失等の事故を未然に防ぐ役割を果たす。
【実施例】
【０００４】
■安全ベルトの落下防止リングを磯釣りタモの柄に通す
■磯釣りタモ柄の先端ネジ凹により、はめ込みが出来るジョイント金具・樹脂等（片側先端は凸ネジ、もう片方は凹凸ナット等）の凸側先端を取り付け、もう片方の先端は凹凸ナット等となっているので、防水ボックス器具側の凹凸ナット等部分を角度調整を図りながら噛み合わせ、ジョイント金具・樹脂等と防水ボックスの凹凸ナット等に横串のボルト等を挿入し、ナット等で固定する。
■ジョイント金具・樹脂等の取り付けが終了したら、落下防止リングがジョイント金具・樹脂等の安全ストッパーから抜け落ちないか確認する。
■防水ボックス器具の中に撮影用電子機器を取り付け安全ベルトを締め付け水中に入れる
■岩場、防波堤等の側面に存在する餌を確認し、同種の餌をつけれる
■潮の流れ、撒き餌の動きを確認出来、水面下の状況に合わせた釣りスタイルを実施
■存在する魚の種類と居場所によって、フィッシングポイントの選択、針の大きさ、餌の取り換えが可能となった
■撮影用電子機器が携帯電話であるならメール機能を活用し、撮影した映像を仲間に送信し、海面下の状況について瞬時に共有化を図ることが可能となった
【図１】
0003181132.tif 000003
【図２】
0003181132.tif 000004
【図３】
0003181132.tif 000005
【図４】
0003181132.tif 000006
【図５】
0003181132.tif 000007
【手続補正書】
【提出日】平成24年7月17日(2012.7.17)
【手続補正１】
【補正対象書類名】実用新案登録請求の範囲
【補正対象項目名】全文
【補正方法】変更
【補正の内容】
【実用新案登録請求の範囲】
【請求項１】
防水ボックス器具は磯釣り用タモの柄にジョイント金具又は樹脂を繋ぎ、ジョイント金具又は樹脂と防水ボックス器具を繋ぎ合わせる組み合わせであるが、その防水ボックス器具の形状は
（１）全面においては透過性を保つため透明板、
（２）内部面は、背面、上下左右面、前面の一部は衝撃を吸収する素材のものや、撮影機材がズレ動かないようにするための素材、
（３）外部面は、上部に凹凸ナット等の凹凸物の設置、側面にはベルト通し穴の設置、
（４）前面蓋と後面受け側の開閉繋ぎ部分は蝶番、
（５）前面蓋と後面受け側の接着部分については、水漏れを防止するために密着性を保つための素材として前面蓋はシリコン等、後面受け側はゴム等、
以上の（１）〜（５）の構成からなる防水ボックス。
【請求項２】
ジョイント金具又は樹脂の形状は、
（１）全面においては金具又は樹脂、
（２）上部にジョイントネジの設置
（３）下部には凹凸ナット等の凹凸物の設置
（４）全体として横長の形状
以上の（１）〜（４）の構成からなるジョイント金具又は樹脂。
【手続補正書】
【提出日】平成24年9月24日(2012.9.24)
【手続補正１】
【補正対象書類名】実用新案登録請求の範囲
【補正対象項目名】全文
【補正方法】変更
【補正の内容】
【実用新案登録請求の範囲】
【請求項１】
防水ボックス器具は磯釣り用タモの柄にジョイント金具又は樹脂を繋ぎ、ジョイント金具又は樹脂と防水ボックス器具を繋ぎ合わせる組み合わせであるが、その防水ボックス器具の形状は
（１）全面においては透過性を保つため透明板、
（２）内部面は、背面、上下左右面、前面の一部は衝撃を吸収する素材のものや、撮影機材がズレ動かないようにするための素材、
（３）外部面は、上部に凹凸ナット等の凹凸物の設置、側面にはベルト通し穴の設置、
（４）前面蓋と後面受け側の開閉繋ぎ部分は蝶番、
（５）前面蓋と後面受け側の接着部分については、水漏れを防止するために密着性を保つための素材として前面蓋はシリコン、後面受け側はゴム、
以上の（１）〜（５）の構成からなる防水ボックス。
請求項１記載のジョイント金具又は樹脂であって、
（１）全面においては金具又は樹脂、
（２）上部にジョイントネジの設置
（３）下部には凹凸ナット等の凹凸物の設置
（４）全体として横長の形状
以上の（１）〜（４）の構成からなるジョイント金具又は樹脂。
【手続補正書】
【提出日】平成24年11月9日(2012.11.9)
【手続補正１】
【補正対象書類名】実用新案登録請求の範囲
【補正対象項目名】全文
【補正方法】変更
【補正の内容】
【実用新案登録請求の範囲】
【請求項１】
防水ボックス器具は磯釣り用タモの柄にジョイント金具又は樹脂を繋ぎ、ジョイント金具又は樹脂と防水ボックス器具を繋ぎ合わせる組み合わせであるが、その防水ボックス器具の形状は
（１）全面においては透過性を保つため透明板、
（２）内部面は、背面、上下左右面、前面の一部は衝撃を吸収する素材のものや、撮影機材がズレ動かないようにするための素材、
（３）外部面は、上部に凹凸ナット等の凹凸物の設置、側面にはベルト通し穴の設置、
（４）前面蓋と後面受け側の開閉繋ぎ部分は蝶番、
（５）前面蓋と後面受け側の接着部分については、水漏れを防止するために密着性を保つための素材として前面蓋はシリコン、後面受け側はゴム、
以上の（１）〜（５）の構成からなる防水ボックス。
【請求項２】
請求項１記載のジョイント金具又は樹脂であって、
（１）全面においては金具又は樹脂、
（２）上部にジョイントネジの設置
（３）下部には凹凸ナット等の凹凸物の設置
（４）全体として横長の形状
以上の（１）〜（４）の構成からなるジョイント金具又は樹脂。